(57)【要約】【課題】  舗装表面温度を低下させる効果を持続させるようにするとともに施工及びメンテナンスを容易にできるようにする。【解決手段】  舗装用構造体１０は、舗装に用いられる保水性ブロックであって下面２０ｂに供給された水を毛細管現象により上面２０ａまで揚水可能な揚水型保水性ブロック２０と、この揚水型保水性ブロック２０の下方に配置されて内部に水を溜めることが可能なトレイ３０と、このトレイ３０の内部に配設され、当該トレイ３０の内部に溜まった水を上記揚水型保水性ブロック２０に供給する布状体４０とを備えている。【選択図】      図２
2006124980.tif 000002
【特許請求の範囲】
【請求項１】
舗装に用いられる保水性ブロックであって下面に供給された水を毛細管現象により上面まで揚水可能な揚水型保水性ブロックと、この揚水型保水性ブロックの下方に配置されて内部に水を溜めることが可能なトレイと、このトレイの内部に配設され、当該トレイの内部に溜まった水を上記揚水型保水性ブロックに供給する給水手段とを備えたことを特徴とする舗装用構造体。
【請求項２】
上記給水手段は、毛細管現象により吸水可能な吸水体であって、一部が上記揚水型保水性ブロックの下面に接触するとともに他の一部が上記トレイの内部に溜まった水に浸かるように配設されるものであることを特徴とする請求項１に記載の舗装用構造体。
【請求項３】
上記吸水体は、布状体であることを特徴とする請求項２に記載の舗装用構造体。
【請求項４】
上記トレイの底面には、上端面を有した支柱が立設されていて、この支柱の上端面上に上記揚水型保水性ブロックが載置可能となっており、
上記布状体は、この支柱の上端面と上記揚水型保水性ブロックの下面との間で挟まれて保持されるように構成されていることを特徴とする請求項３に記載の舗装用構造体。
【請求項５】
上記支柱の上端面には突起が設けられていることを特徴とする請求項４に記載の舗装用構造体。
【請求項６】
上記揚水型保水性ブロックの下面には、上記支柱に対応する位置に当該下面から上方に窪んで上記支柱が嵌入可能な凹部が形成され、この凹部の底面と上記支柱の上端面との間に上記布状体が挟み込まれるように構成されていることを特徴とする請求項４または５に記載の舗装用構造体。
【請求項７】
上記トレイの内部には、所定位置で上記揚水型保水性ブロックを支持するサブ支柱が設けられていることを特徴とする請求項４〜６のいずれか１項に記載の舗装用構造体。
【請求項８】
上記トレイは、略矩形筒状の周壁を有し、この周壁の外側の各壁面には、当該壁面から外側に突出するとともに上下方向に延びかつその上部が当該壁面の上端部よりも上方まで延びる１つまたは複数の突条部が設けられていて、これらの突条部の上部で囲まれる空間に上記揚水型保水性ブロックが挿入できるように構成されていることを特徴とする請求項１〜７のいずれか１項に記載の舗装用構造体。
【請求項９】
上記各突条部は、複数トレイを並べたときに隣接するトレイの壁面に設けられた突条部同士が重なり合わない位置に設けられていることを特徴とする請求項８に記載の舗装用構造体。
【請求項１０】
上記トレイの内部には、当該トレイの内部の空間を複数の空間に区分けする仕切り壁が設けられていることを特徴とする請求項１〜９のいずれか１項に記載の舗装用構造体。
【請求項１１】
上記仕切り壁の上部には、当該仕切り壁によって区分けされた各空間同士の間での水の往来を許容する越流口が設けられていることを特徴とする請求項１０に記載の舗装用構造体。
【請求項１２】
上記トレイは、その上方に複数の上記揚水型保水性ブロックを並べることができる大きさに設定されていることを特徴とする請求項１〜１１のいずれか１項に記載の舗装用構造体。
【請求項１３】
上記トレイは、上端面が上記揚水型保水性ブロックの下面に当接する周壁を有しており、この周壁と上記揚水型保水性ブロックとが接合されることによりユニットとして構成されていることを特徴とする請求項１〜１２のいずれか１項に記載の舗装用構造体。
【請求項１４】
請求項１〜１２のいずれか１項に記載の舗装用構造体の施工方法であって、路盤上に敷設された敷砂の上に上記トレイを載置するとともに、このトレイの内部に上記給水手段をセットし、その後に上記トレイの上に上記揚水型保水性ブロックを載置することを特徴とする舗装用構造体の施工方法。
【請求項１５】
舗装に用いられる下面に供給された水を毛細管現象により上面まで揚水可能な揚水型保水性ブロックを載置可能なトレイであって、内部に水を溜めることが可能な空間を形成する周壁及び底壁と、上端面を有し、その空間内で底壁の上面に立設される支柱とを備え、この支柱の上端面に上記揚水型保水性ブロックを載置できるように構成されていることを特徴とするトレイ。
【請求項１６】
上記周壁で囲まれる空間内には、当該空間を複数の空間に区分けする仕切り壁が設けられており、この仕切り壁の上部には、当該仕切り壁によって区分けされた各空間同士の間での水の往来を許容する越流口が設けられていることを特徴とする請求項１５に記載のトレイ。
【請求項１７】
上記周壁は、略矩形筒状をなし、この周壁の外側の各壁面には、当該壁面から外側に突出するとともに上下方向に延びかつその上部が当該壁面の上端部よりも上方まで延びる１つまたは複数の突条部が複数トレイを並べたときに隣接するトレイの各壁面の突条部同士が重なり合わない位置に設けられていることを特徴とする請求項１５または１６に記載のトレイ。
【発明の詳細な説明】
【技術分野】
【０００１】
本発明は、舗装に用いられる舗装用構造体に関するものである。
【背景技術】
【０００２】
従来、ヒートアイランド現象を緩和するための舗装として、雨水や打ち水を保水可能な保水性ブロックを用いた保水性ブロック舗装が知られている。この保水性ブロック舗装は、保水性ブロックに雨水や打ち水を一旦保水させ、その保水した水が蒸発するときの気化熱を利用して舗装表面温度の低下を図ったものである。
【０００３】
ところが、この保水性ブロック舗装では、保水性ブロックが保水できる水の量が少なく、舗装表面温度を低下させる効果が２日間程度しか得られない。そこで、その点を改良した強制給水型保水性ブロック舗装と呼ばれる舗装が提案されている（例えば、特許文献１参照）。
【０００４】
この強制給水型保水性ブロック舗装は、路盤の上に保水可能な導水シートを敷設し、この導水シートの上に保水性ブロックを改良した揚水型保水性ブロックを設置したものである。上記揚水型保水性ブロックは、その下面に水を供給すると、その水を毛細管現象により吸収して保水するだけでなく、ブロック上面まで揚水するものである。
【０００５】
そして、導水シートにポンプ等により水を供給すれば、その水が導水シートを介して揚水型保水性ブロックの下面に供給されるため、ブロック上面を常時湿潤状態に保つことができ、これにより舗装表面温度を低下させる効果を持続させることができるようになっている。
【特許文献１】特開２００４−２２５３１１号公報
【発明の開示】
【発明が解決しようとする課題】
【０００６】
しかしながら、この強制給水型保水性ブロック舗装においては、導水シートに水を供給するポンプ等の給水設備をどのように構成するかが問題となる。
【０００７】
例えば、揚水型保水性ブロックを設置する場所の下方にポンプを埋め込んで、地下水を汲み上げて直接導水シートに供給することが考えられるが、このようにした場合はポンプのメンテナンスが困難であり実用的でない。
【０００８】
そこで、ポンプを道路脇等に設置し、そのポンプから導水シートまで配管を布設することが考えられる。この場合には、導水シートが複数枚敷設されていれば、配管を導水シートの枚数分に分岐させるか、またはポンプを複数台設置する必要があるため、導水シートをある程度の大きさに構成することが好ましい。
【０００９】
しかし、導水シートをある程度の大きさに構成すると、施工が大掛かりになるとともに、施工後のメンテナンス、例えば導水シートが目詰まりを起こした場合等に行う補修工事等が大掛かりになる。
【００１０】
本発明は、このような事情に鑑み、舗装表面温度を低下させる効果を持続させるようにするとともに施工及びメンテナンスを容易にできるようにすることを目的とする。
【課題を解決するための手段】
【００１１】
請求項１に係る発明は、舗装に用いられる保水性ブロックであって下面に供給された水を毛細管現象により上面まで揚水可能な揚水型保水性ブロックと、この揚水型保水性ブロックの下方に配置されて内部に水を溜めることが可能なトレイと、このトレイの内部に配設され、当該トレイの内部に溜まった水を上記揚水型保水性ブロックに供給する給水手段とを備えたことを特徴とする舗装用構造体である。
【００１２】
請求項２に係る発明は、請求項１に記載の舗装用構造体において、上記給水手段は、毛細管現象により吸水可能な吸水体であって、一部が上記揚水型保水性ブロックの下面に接触するとともに他の一部が上記トレイの内部に溜まった水に浸かるように配設されるものであることを特徴とするものである。
【００１３】
請求項３に係る発明は、請求項２に記載の舗装用構造体において、上記吸水体は、布状体であることを特徴とするものである。
【００１４】
請求項４に係る発明は、請求項３に記載の舗装用構造体において、上記トレイの底面には、上端面を有した支柱が立設されていて、この支柱の上端面上に上記揚水型保水性ブロックが載置可能となっており、上記布状体は、この支柱の上端面と上記揚水型保水性ブロックの下面との間で挟まれて保持されるように構成されていることを特徴とするものである。
【００１５】
請求項５に係る発明は、請求項４に記載の舗装用構造体において、上記支柱の上端面には突起が設けられていることを特徴とするものである。
【００１６】
請求項６に係る発明は、請求項４または５に記載の舗装用構造体において、上記揚水型保水性ブロックの下面には、上記支柱に対応する位置に当該下面から上方に窪んで上記支柱が嵌入可能な凹部が形成され、この凹部の底面と上記支柱の上端面との間に上記布状体が挟み込まれるように構成されていることを特徴とするものである。
【００１７】
請求項７に係る発明は、請求項４〜６のいずれか１項に記載の舗装用構造体において、上記トレイの内部には、所定位置で上記揚水型保水性ブロックを支持するサブ支柱が設けられていることを特徴とするものである。
【００１８】
請求項８に係る発明は、請求項１〜７のいずれか１項に記載の舗装用構造体において、上記トレイは、略矩形筒状の周壁を有し、この周壁の外側の各壁面には、当該壁面から外側に突出するとともに上下方向に延びかつその上部が当該壁面の上端部よりも上方まで延びる１つまたは複数の突条部が設けられていて、これらの突条部の上部で囲まれる空間に上記揚水型保水性ブロックが挿入できるように構成されていることを特徴とするものである。
【００１９】
請求項９に係る発明は、請求項８に記載の舗装用構造体において、上記各突条部は、複数トレイを並べたときに隣接するトレイの壁面に設けられた突条部同士が重なり合わない位置に設けられていることを特徴とするものである。
【００２０】
請求項１０に係る発明は、請求項１〜９のいずれか１項に記載の舗装用構造体において、上記トレイの内部には、当該トレイの内部の空間を複数の空間に区分けする仕切り壁が設けられていることを特徴とするものである。
【００２１】
請求項１１に係る発明は、請求項１０に記載の舗装用構造体において、上記仕切り壁の上部には、当該仕切り壁によって区分けされた各空間同士の間での水の往来を許容する越流口が設けられていることを特徴とするものである。
【００２２】
請求項１２に係る発明は、請求項１〜１１のいずれか１項に記載の舗装用構造体において、上記トレイは、その上方に複数の上記揚水型保水性ブロックを並べることができる大きさに設定されていることを特徴とするものである。
【００２３】
請求項１３に係る発明は、請求項１〜１２のいずれか１項に記載の舗装用構造体において、上記トレイは、上端面が上記揚水型保水性ブロックの下面に当接する周壁を有しており、この周壁と上記揚水型保水性ブロックとが接合されることによりユニットとして構成されていることを特徴とするものである。
【００２４】
請求項１４に係る発明は、請求項１〜１２のいずれか１項に記載の舗装用構造体の施工方法であって、路盤上に敷設された敷砂の上に上記トレイを載置するとともに、このトレイの内部に上記給水手段をセットし、その後に上記トレイの上に上記揚水型保水性ブロックを載置することを特徴とするものである。
【００２５】
請求項１５に係る発明は、舗装に用いられる下面に供給された水を毛細管現象により上面まで揚水可能な揚水型保水性ブロックを載置可能なトレイであって、内部に水を溜めることが可能な空間を形成する周壁及び底壁と、上端面を有し、その空間内で底壁の上面に立設される支柱とを備え、この支柱の上端面に上記揚水型保水性ブロックを載置できるように構成されていることを特徴とするものである。
【００２６】
請求項１６に係る発明は、請求項１５に記載のトレイにおいて、上記周壁で囲まれる空間内には、当該空間を複数の空間に区分けする仕切り壁が設けられており、この仕切り壁の上部には、当該仕切り壁によって区分けされた各空間同士の間での水の往来を許容する越流口が設けられていることを特徴とするものである。
【００２７】
請求項１７に係る発明は、請求項１５または１６に記載のトレイにおいて、上記周壁は、略矩形筒状をなし、この周壁の外側の各壁面には、当該壁面から外側に突出するとともに上下方向に延びかつその上部が当該壁面の上端部よりも上方まで延びる１つまたは複数の突条部が複数トレイを並べたときに隣接するトレイの各壁面の突条部同士が重なり合わない位置に設けられていることを特徴とするものである。
【発明の効果】
【００２８】
請求項１に係る発明によれば、揚水型保水性ブロックの下方に内部に水を溜めることが可能なトレイを設けたので、雨天時には揚水型保水性ブロックを透過した雨水がトレイの内部に溜まる。あるいは、打ち水をしたときにもその水がトレイの内部に溜まる。また、トレイに溜まった水を給水手段によって揚水型保水性ブロックに供給するように構成したので、トレイに溜まった水量分舗装表面温度を低下させる効果を持続させることができる。しかも、上記給水手段はトレイの内部に配設されるので、これらを備えた舗装用構造体は、単体で舗装表面温度を低下させる効果を得ることができる。従って、施工に際してはこの舗装用構造体を設置するだけでよく、また、メンテナンスする際には当該舗装用構造体をそのまま取外して行うことができ、施工及びメンテナンスを容易に行うことができる。
【００２９】
また、このように単体で舗装表面温度を低下させる効果を得ることができるために、舗装用構造体を既存の舗装ブロックサイズ（例えば３０ｃｍ角）にすれば、既設舗装の一部を本発明の舗装用構造体に置き換えて局所的に舗装表面温度を低下させることができ、例えば人間の歩行が集中する箇所のみを低温化させる等、効率的な配置を図ることも可能である。
【００３０】
ここで、上記給水手段は、ポンプ等の機械式のものを採用することも可能であるが、このようにするとコストが高くなるだけでなくポンプ等を起動させる制御手段等が必要になるのに対し、請求項２に係る発明のように、給水手段を毛細管現象により吸水可能な吸水体とすれば、低コストで連続的に揚水型保水性ブロックに水を供給することができる。
【００３１】
なお、上記吸水体としては、請求項３に係る発明のように、布状体を採用すれば、吸水体自身の体積を抑えることができ、トレイの内部の空間を有効に活用して水を溜めることができる。
【００３２】
請求項４に係る発明によれば、布状体をトレイの支柱の上端面に載せ、その上に揚水型保水性ブロックを載せるだけで、当該ブロックの下面に布状体を接触させることができるとともに、この布状体によって揚水型保水性ブロックがトレイ上でガタつくことを抑制することができる。
【００３３】
請求項５に係る発明によれば、支柱の上端面に設けられた突起によって布状体が支柱から脱落することを抑制することができる。
【００３４】
請求項６に係る発明によれば、揚水型保水性ブロックの下面に形成された凹部に支柱が嵌入することにより、揚水型保水性ブロックとトレイとの相互の位置ずれを防止して布状体を揚水型保水性ブロックに確実に密着させることができる。
【００３５】
請求項７に係る発明によれば、サブ支柱によって揚水型保水性ブロックの割れを防止することができるとともに、揚水型保水性ブロックが割れた場合でもトレイの内部への落下を防止することができる。
【００３６】
請求項８に係る発明によれば、トレイの周壁における外側の各壁面に当該壁面から外側に突出するとともに上下方向に延びかつその上部が当該壁面の上端部よりも上方まで延びる１つまたは複数の突条部が設けられており、これらの突条部の上部で囲まれる空間に揚水型保水性ブロックが挿入可能になっているので、これらの突条部によって揚水型保水性ブロックをトレイ上に保持することができるとともに、揚水型保水性ブロックをトレイ上に載置するときには上記突条部をガイドとすることができ、その作業を容易に行うことができる。
【００３７】
請求項９に係る発明によれば、上記各突条部は、複数トレイを並べたときに隣接するトレイの壁面に設けられた突条部同士が重なり合わない位置に設けられているので、これらの突条部を目地キーパーとして使用することができる。
【００３８】
請求項１０に係る発明によれば、仕切り壁によってトレイ内部の空間が複数の空間に区分けされているので、トレイの底面が傾斜した状態で設置された場合でも、トレイ内部に溜めることができる水の量が低減することを抑えることができる。
【００３９】
請求項１１に係る発明によれば、仕切り壁の上部には越流口が設けられているので、トレイの内部に所定量を越えた雨水が流れ込んだ場合には、越流口を通じてその水を各空間に分配することができる。
【００４０】
請求項１２に係る発明によれば、雨天時には雨水が複数の揚水型保水性ブロック同士の隙間から容易にトレイの内部へ流れ込むことができ、トレイへの給水が有効に行われるようになる。
【００４１】
請求項１３に係る発明によれば、ユニットとして構成されているので、持ち運びが容易であるとともに、メンテナンス時にはユニットごと取り替えることができ、至便である。
【００４２】
請求項１４に係る発明によれば、ユニットとして構成されていない舗装用構造体を施工することができる。
【００４３】
請求項１５〜１７に係る発明によれば、請求項１〜１３に記載の舗装用構造体を得ることができる。
【発明を実施するための最良の形態】
【００４４】
以下、本発明を実施するための最良の形態について、図面を参照しながら詳細に説明する。
【００４５】
図１及び図２に示すように、本発明の舗装用構造体１０は、複数（図例では２つ）の揚水型保水性ブロック２０と、これらの揚水型保水性ブロック２０の下方に配置されるトレイ３０と、このトレイ３０の内部に配設される布状体４０とを備えている。
【００４６】
上記各揚水型保水性ブロック２０は、長方形板状をなしており、２つの揚水型保水性ブロック２０をその長手方向と直交する方向に並べたときに略正方形を形成するようになっている。これらの揚水型保水性ブロック２０は、下面２０ｂに水が供給されたときにその水を保水するとともに毛細管現象により上面２０ａまで揚水するものである。
【００４７】
そして、これらの揚水型保水性ブロック２０は、上記のように並んだ状態で上記トレイ３０上に載置されている。
【００４８】
上記トレイ３０は、詳細は後述するがその上端面に上記揚水型保水性ブロック２０を載置可能な複数の支柱３８を有している。そして、この支柱３８の上端面と上記揚水型保水性ブロック２０との間に上記布状体４０が挟み込まれている。
【００４９】
また、このトレイ３０は、平面視においては上記２つの揚水型保水性ブロック２０をその長手方向と直交する方向に並べたときの形状と略一致する略正方形状をなしており、内部に水５０（図４参照）を溜めることができるようになっている。
【００５０】
具体的には、上記トレイ３０は、上記のような外形を構成する略正方形筒状の周壁３２と、この周壁３２で囲まれる空間の下方開口を塞ぐ底壁３４とを有しており、これらによって水５０を溜めることが可能な空間が形成されている。
【００５１】
そして、このトレイ３０の内部に溜まった水５０は、上記布状体４０によって上記揚水型保水性ブロック２０に供給されるようになっている。
【００５２】
本実施形態では、上記トレイ３０の周壁３２は、上記支柱３８上に上記布状体４０を介して上記揚水型保水性ブロック２０が載置された状態で、上記揚水型保水性ブロック２０の下面２０ｂに当接する高さに設定されており、その状態で当該周壁３２の上面と上記保水性ブロック２０の下面２０ｂとが接着剤等で接着されることにより、舗装用構造体１０はユニットとして構成されている。
【００５３】
上記トレイ３０の周壁３２の外側の各壁面には、当該壁面から外側に突出するとともに上下方向に延びかつその上部が当該壁面の上端部よりも上方まで延びる複数（図例では２つ）の突条部３３が設けられている。これらの突状部３３は、図例では上記壁面に沿う板状に形成されているが、棒状に形成されていてもかまわない。
【００５４】
そして、これらの突条部３３によって、上記揚水型保水性ブロック２０がトレイ３０上に保持されるようになっている。
【００５５】
また、上記各突条部３３は、各壁面において、左側の突条部３３は、壁面の左端部近傍に設けられており、右側の突条部３３は、その左側の突条部３３から上記壁面の左右方向の長さの約半分の距離を隔てた位置に設けられている。このような位置に各壁面の突条部３３が設けられていることにより、複数トレイ３０をどのような向きで並べたとしても隣接するトレイ３０の壁面に設けられた突条部３３同士が重なり合わないようになっている。
【００５６】
一方、上記トレイ３０の周壁３２で囲まれる空間内には、当該空間を複数の空間に区分けする仕切り壁３６が設けられている。本実施形態では、この仕切り壁３６は、上記周壁３２と同じ高さに形成され、トレイ３０の略中央で上記揚水型保水性ブロック２０の長手方向及び揚水型保水性ブロック２０が並ぶ方向に沿って延びていて、この仕切り壁３６によって周壁３２で囲まれた空間は略均等に４つの空間に区分けされている。
【００５７】
なお、上記仕切り壁３６の上部には、当該仕切り壁３６によって区分けされた各空間同士の間での水の往来を許容する越流口３６ａが設けられている。この越流口３６ａは、上記仕切り壁３６の上端部が下方に向かって略コ字状に切り込まれることにより形成されている。
【００５８】
また、この仕切り壁３６のうち上記揚水型保水性ブロック２０の長手方向に沿って延びる仕切り壁３６の両端部上面には、当該上面から上方に突出して上記揚水型保水性ブロック２０間に挟み込まれる所定厚みの間隙材３６ｂが設けられている。そして、この間隙材３６ｂにより上記揚水型保水性ブロック２０の間に所定のクリアランスが確保されるようになっているとともに、この間隙材３６ｂと上記突条部３３とで上記揚水型保水性ブロック２０が挿入可能な空間が形成されている。
【００５９】
上記仕切り壁３６によって区分けされた各空間内には、上述した揚水型保水性ブロック２０を載置可能な支柱３８が上記底壁３４の上面３４ａに立設されているとともに、適所には上記揚水型保水性ブロック２０を支持する複数のサブ支柱３９が設けられている。
【００６０】
上記支柱３８は、本実施形態では、略コ字状の断面形状を有した相互に対向して配設される２つの支柱片３８ａ，３８ｂからなり、その高さは、上記周壁３２よりも高く設定されている。そして、各支柱片３８ａ，３８ｂの上端面３８ｃ，３８ｄは、略同一平面上に位置し、この上端面３８ｃ，３８ｄ上に上記布状体４０を介して上記揚水型保水性ブロック２０を載置できるようになっている。
【００６１】
なお、上記支柱片３８ａ，３８ｂの上端面３８ｃ，３８ｄには、当該上端面３８ｃ，３８ｄに上記布状体４０を被せたときに、この布状体４０が脱落しないように複数の突起３８ｅが設けられている。
【００６２】
上記各サブ支柱３９は、本実施形態では立直する板状に形成されており、その高さは上記周壁３２と略同一に設定されている。そして、これらのサブ支柱３９は、上記周壁３２または仕切り壁３６に連設されている。
【００６３】
上記布状体４０は、毛細管現象により吸水可能な吸水体であり、化学繊維等を編み込んで布状にしたものである。
【００６４】
この布状体４０は、所定の厚みを有した長方形板状をなし、その長さは、当該布状体４０の中央部が上記支柱３８の上に載せられたときにその両端部が上記トレイ３０の底壁３４の上面３４ａに接触することができる程度に設定されている。
【００６５】
一方、上記揚水型保水性ブロック２０の下面２０ｂには、上記各支柱３８に対応する位置に当該下面２０ｂから上方に窪む凹部２２が形成されている。これらの凹部２２は、上方に向かうに従ってその断面積が次第に小さくなる形状をなしている。
【００６６】
具体的には、上記凹部２２は、上述した支柱３８を構成する支柱片３８ａ，３８ｂの上端面３８ｃ，３８ｄが当接可能な大きさを有した矩形状の底面２２ａと、その底面２２ａの各辺から下方に向かって外側に傾斜する側面２２ｂとで構成され、この凹部２２内には上記トレイ３０の支柱３８が挿入されるようになっている。
【００６７】
さらには、上記支柱３８を構成する支柱片３８ａ，３８ｂのうちトレイ３０の外側に位置する支柱片３８ａの背面中央には上下方向に延びるリブ３８ｆが設けられていて、このリブ３８ｆの上端面が上記凹部２２の側面２２ｂに沿う形状に形成されることにより、当該支柱３８が上記凹部２２に嵌入可能となっている。
【００６８】
なお、本実施形態では、図３に示すように、上記各凹部２２の中間位置にも当該凹部２２と同一形状の凹部２２´が形成されており、この中間の凹部２２´と上記凹部２２とは連通路２３によりつながれている。
【００６９】
そして、上記支柱３８に上記布状体４０が被せられた状態で、この布状体４０の上に上記揚水型保水性ブロック２０が当該ブロック２０の凹部２２が上記支柱３８に嵌り込むように載せられることにより、上記布状体４０が上記凹部２２の底面２２ａと上記支柱３８の上端面３８ｃ，３８ｄとで挟み込まれて保持される。これにより、上記布状体４０が、当該布状体４０の端部が上記トレイ３０の内部に溜まった水５０に浸かるとともに布状体４０の中央部が上記揚水型保水性ブロック２０に接触するように配設されることとなる。この状態で、上記布状体４０が上記トレイ３０の内部に溜まった水５０を吸水することにより、当該布状体４０を介してその水５０が上記揚水型保水性ブロック２０に供給されるようになる。
【００７０】
以上説明したように、本実施形態の舗装用構造体１０では、揚水型保水性ブロック２０の下方に内部に水５０を溜めることが可能なトレイ３０を設けたので、雨天時には揚水型保水性ブロック２０を透過した雨水がトレイ３０の内部に溜まる。あるいは、打ち水をしたときにもその水がトレイ３０の内部に溜まる。また、トレイ３０に溜まった水５０を布状体４０によって揚水型保水性ブロック２０に供給するように構成したので、トレイ３０に溜まった水量分舗装表面温度を低下させる効果を持続させることができる。しかも、この効果は、舗装用構造体１０単体で得ることができるため、施工に際しては従来のように配管を布設する必要はなく、この舗装用構造体１０を設置するだけでよく、また、メンテナンスする際には当該舗装用構造体１０をそのまま取外して行うことができ、施工及びメンテナンスを容易に行うことができる。
【００７１】
また、このように単体で舗装表面温度を低下させる効果を得ることができるために、舗装用構造体１０を既存の舗装ブロックサイズ（例えば３０ｃｍ角）にすれば、既設舗装の一部を本発明の舗装用構造体１０に置き換えて局所的に舗装表面温度を低下させることができ、例えば人間の歩行が集中する箇所のみを低温化させる等、効率的な配置を図ることも可能である。この施工例については後述する。
【００７２】
なお、上記トレイ３０の内部の容量は、揚水型保水性ブロック２０の上面２０ａの面積に対して、単位平方メートル当り３０〜４０リットル程度の水を溜めることができるように設定されていることが好ましく、この容量であれば１週間程度に亘り上記舗装表面温度を低下させる効果を持続させることができる。
【００７３】
そして、アルファルトを用いて舗装した場合には夏季の晴天時には舗装表面温度が６０℃近くになるのに対し、本発明の舗装用構造体１０を用いて舗装した場合には舗装表面温度を１週間継続して４０℃近くに抑えられることが実験により確認された。
【００７４】
さらには、上記布状体４０は、上記支柱３８の上端面と上記揚水型保水性ブロック２０の凹部２２の底面２２ａとの間で挟まれて保持されるように構成されているので、布状体４０をトレイ３０の支柱３８の上に載せ、その上に揚水型保水性ブロック２０を載せるだけで、当該ブロック２０に布状体４０を接触させることができるとともに、この布状体４０によって揚水型保水性ブロック２０がトレイ３０上でガタつくことを抑制することができる。
【００７５】
また、本実施形態では、上記支柱３８は揚水型保水性ブロック２０の凹部２２に嵌入可能となっているので、揚水型保水性ブロック２０とトレイ３０との相互の位置ずれを防止して上記布状体４０を上記揚水型保水性ブロック２０に確実に密着させることができる。
【００７６】
しかも、上記凹部２２の側面２２ｂを傾斜する面で構成したから、布状体４０を広い面積で揚水型保水性ブロック２０に密着させることができる。
【００７７】
さらに、上記トレイ３０の内部には、上記揚水型保水性ブロック２０を支持するサブ支柱３９が設けられているので、このサブ支柱３９によって揚水型保水性ブロック２０の割れを防止することができるとともに、揚水型保水性ブロック２０が割れた場合でもトレイ３０の内部への落下を防止することができる。
【００７８】
また、トレイ３０には、上記揚水型保水性ブロック２０が挿入可能な空間を形成する突条部３３と間隙材３６ｂとを設けたので、揚水型保水性ブロック２０をトレイ３０上に載置するときには、上記突条部３３及び間隙材３６ｂをガイドとして使用することができるとともに、揚水型保水性ブロック２０がトレイ３０上に載置された後は、突条部３３及び間隙材３６ｂによって揚水型保水性ブロック２０が水平方向へ移動することを規制することができる。
【００７９】
そして、上記各突条部３３は、複数トレイ３０を並べたときに隣接するトレイ３０の壁面に設けられた突条部３３同士が重なり合わない位置に設けられているので、これらの突条部３３を舗装用構造体１０同士の間に所定のクリアランスを確保する目地キーパーとして使用することができる。さらには、舗装用構造体１０を既設ブロックに並べて設置する場合でも、上記突条部３３によって当該舗装用構造体１０と既設ブロックとの間に所定のクリアランスを確保することもできる。
【００８０】
なお、この突条部３３は、本実施形態では上記周壁３２の各壁面に２つ設けられた形態を示したが、各壁面に１つとしても、複数トレイ３０を並べたときに隣接するトレイ３０の壁面間には２つの突条部３３が存在することになるため、目地キーパーとしての機能を果すことができる。
【００８１】
また、上記トレイ３０の内部には、当該トレイ３０の内部の空間を複数の空間に区分けする仕切り壁３６が設けられているので、舗装用構造体１０が傾斜した斜面に設置される場合でも、各仕切り壁３６によって水の流れが堰き止められるため、トレイ３０内部に溜めることができる水の量が低減することを抑えることができる。
【００８２】
そして、上記仕切り壁３６の上部には、当該仕切り壁３６によって区分けされた各空間同士の間での水の往来を許容する越流口３６ａが設けられているので、トレイ３０の内部に所定量を越えた雨水が流れ込んだ場合には、越流口３６ａを通じてその水を各空間に分配することができる。
【００８３】
また、揚水型保水性ブロック２０の下面２０ｂとトレイ３０の周壁３２の上面とが接着されて舗装用構造体１０がユニットとして構成されているので、持ち運びが容易であるとともに、メンテナンス時にはユニットごと取り替えることができ、至便である。
【００８４】
なお、上述した実施形態では、舗装用構造体１０がユニットとして構成された形態を示したが、本発明の舗装用構造体１０は、ユニットとして構成しなくとも、現場にトレイ３０、布状体４０、揚水型保水性ブロック２０をそれぞれ単材で持ち込んで、施工しながらそれらを組合せて構成することも可能である。
【００８５】
この場合には、図５に示すように、路盤６０上に敷設された敷砂６５の上に上記トレイ３０を載置するとともに、このトレイ３０の支柱３８の上に布状体４０を被せ、その後に上記トレイ３０の上に上記揚水型保水性ブロック２０を載置すればよい。
【００８６】
次に、本発明の舗装用構造体１０の施工例を説明する。
【００８７】
本発明の舗装用構造体１０は、単体で舗装表面温度を低下させる効果を得ることができるため、上述したように効率的な配置を図ることができる。ヒートアイランド対策として、特に歩行者の熱中症を予防する場合には、歩道における歩行者が特に利用する箇所や歩行者が足を止める箇所を効率良く冷やすことが工事費を抑える点で有効である。
【００８８】
例えば、図６に示すように、弱視の人を誘導する誘導ブロック７０付近では、弱視の人や車椅子、高齢社が誘導ブロック７０に沿ってゆっくり歩行するため、舗装用構造体１０を誘導ブロック７０に沿って配置することが効果的である。
【００８９】
もしくは、図７に示すように、横断歩道７２の近傍に配置すれば、信号待ちの歩行者を熱中症から有効に保護することができ、または、図８に示すように、バス７６の乗降場所や待合所７４等に配置することも有効である。
【００９０】
本発明の舗装用構造体１０は、上述した実施形態に限定されず、種々の変更が可能である。
【００９１】
例えば、揚水型保水性ブロック２０を１つとして、上記トレイ３０を上記揚水型保水性ブロック２０の形状に合わせて長方形状としてもよい。ただし、上記実施形態のように、上記トレイ３０をその上方に２つの揚水型保水性ブロック２０を並べることができる大きさにすれば、雨天時には雨水が揚水型保水性ブロック２０同士の隙間から容易にトレイ３０の内部へ流れ込むことができ、トレイ３０への給水が有効に行われるようになる。
【００９２】
または、３つ以上の揚水型保水性ブロック２０が正方形状または長方形状に並んだ状態でトレイ３０上に載置されるように構成することも可能である。そして、トレイ３０の形状は、揚水型保水性ブロック２０の形状や数に合わせて適宜変更可能である。
【００９３】
また、上記布状体４０の代わりに、高吸水性樹脂をシート状にしたものを用いても揚水型保水性ブロック２０に水を供給することができる。または、このような作用は吸水体であれば得ることができるため、例えば揚水型保水性ブロック２０と同様に構成された小型ブロック状のものを採用することも可能である。ただし、上記実施形態のように、揚水型保水性ブロック２０へ水を供給する吸水手段を布状体４０とすれば、吸水体自身の体積を抑えることができ、トレイ３０の内部の空間を有効に活用して水を溜めることができる。
【００９４】
あるいは、揚水型保水性ブロック２０の下面２０ｂから下方に突出する突出部を設け、この突出部をトレイ３０の内部に溜まった水に付けるようにすることで、当該突出部を揚水型保水性ブロック２０へ水を供給する給水手段とすることも可能である。
【００９５】
さらには、上記布状体４０に代えて、ポンプ等の機械式のものを採用することも可能であるが、このようにするとコストが高くなるだけでなくポンプ等を起動させる制御手段等が必要になるのに対し、上記実施形態のように、毛細管現象により吸水可能な吸水体を採用すれば、低コストで連続的に揚水型保水性ブロック２０に水を供給することができる。
【００９６】
また、別の形態としては、トレイ３０の上に揚水型保水性ブロック２０を載置可能に構成せずに、例えば、揚水型保水性ブロック２０の下面にトレイ３０を抜き差し可能な枠体を設けて、この枠体に揚水型保水性ブロック２０を載置するようにしてもよい。この場合には、布状体４０を揚水型保水性ブロック２０の下面２０ｂに板状体等で押さえ込んで、一端または両端が垂れ下がるように固定すればよい。
【００９７】
なお、舗装用構造体１０をユニットとして構成する場合には、トレイ３０の周壁３２の上面と揚水型保水性ブロック２０の下面とを接着剤で接着する以外にも、例えば突条部３３を利用して当該周壁３２とブロック３０とを接合してもよい。または、揚水型保水性ブロック２０を着脱可能に周壁３２に支持させることも可能である。
【図面の簡単な説明】
【００９８】
【図１】本発明の舗装用構造体の斜視図である。
【図２】本発明の舗装用構造体において、揚水型保水性ブロックの１つを取外した状態の一部断面図である。
【図３】本発明に係る揚水型保水性ブロックを下方から見た斜視図である。
【図４】図２におけるＩＶ−ＩＶ線断面図である。
【図５】本発明の舗装用構造体を設置したときの状態を示す断面図である。
【図６】本発明の舗装用構造体の施工例を示す平面図である。
【図７】本発明の舗装用構造体の施工例を示す平面図である。
【図８】本発明の舗装用構造体の施工例を示す平面図である。
【符号の説明】
【００９９】
１０  舗装用構造体
２０  揚水型保水性ブロック
２０ａ  上面
２０ｂ  下面
２２  凹部
２２ａ  底面
３０  トレイ
３２  周壁
３３  突条部
３４  底壁
３４ａ  底面
３６  仕切り壁
３６ａ  越流口
３８  支柱
３８ａ，３８ｂ  支柱片
３８ｃ，３８ｄ  上端面
３８ｅ  突起
３９  サブ支柱
４０  布状体（給水手段）
５０  水
６０  路盤
６５  敷砂
【図１】
2006124980.tif 000003
【図２】
2006124980.tif 000004
【図３】
2006124980.tif 000005
【図４】
2006124980.tif 000006
【図５】
2006124980.tif 000007
【図６】
2006124980.tif 000008
【図７】
2006124980.tif 000009
【図８】
2006124980.tif 000010